(57)【要約】【課題】小型化を図ることが可能な照明装置を提供する。【解決手段】車両用照明装置１は、バルブ５０を収容したハウジング２と、一対のバスバ３と、を有している。一対のバスバ３は、ハウジング２内に配されてバルブ５０の電極５１と接続する電極接続部４と、電極接続部４に連なりかつフラットケーブル２０と接続する電線接続部５と、を有している。この電線接続部５は、電極接続部４との連結箇所Ｒで直角に折り曲げられて電極接続部４の長手方向と直交する方向に延びているとともにハウジング２の長手方向の他端部２ｂ側の外側面に沿って配されている。【選択図】図４
2008146846.tif 000002
【特許請求の範囲】
【請求項１】
バルブを収容したハウジングと、該ハウジングに組み付けられて前記バルブと電線とを接続する複数のバスバと、を有する照明装置であって、
前記バスバは、前記ハウジング内に配されるとともに前記バルブの電極と接続する電極接続部と、前記電極接続部に連なりかつ前記電線と接続する電線接続部と、を有しているとともに、
前記電線接続部が、前記電極接続部との連結箇所で折り曲げられて前記電極接続部の長手方向と直交する方向に延びているとともに前記ハウジングの外側面に沿って配されていることを特徴とする照明装置。
【請求項２】
前記複数のバスバは、一枚の導電性金属板から一括で型抜きされた互いに同一形状の各バスバ相当板がそれぞれ折り曲げられて形成されているとともに、
前記バスバ相当板が、前記電極接続部に相当する電極接続部相当部と、前記電線接続部に相当する電線接続部相当部と、を有しているとともに、
前記電線接続部相当部が、
前記電極接続部相当部の長手方向の一端部に連なりかつ該電極接続部相当部の長手方向と交差する方向に延びた底壁相当部と、
前記底壁相当部の幅方向の両側から該底壁相当部の長手方向と直交する方向に延びかつ前記電線を圧接する圧接刃に相当する圧接刃相当部と、を有しているとともに、
一括で型抜きされる前記複数のバスバ相当板が、前記電極接続部相当部の幅方向に沿って並列に並べられている
ことを特徴とする請求項１に記載の照明装置。
【請求項３】
前記電線が、並列に並べられた断面長方形の複数の導体部と該導体部を覆う絶縁被覆とを有したフラットケーブルであるとともに、
前記複数のバスバは、一枚の導電性金属板から一括で型抜きされた互いに同一形状の各バスバ相当板がそれぞれ折り曲げられて形成されているとともに、
前記バスバ相当板が、前記電極接続部に相当する電極接続部相当部と、前記電線接続部に相当する電線接続部相当部と、を有しているとともに、
前記電線接続部相当部が、
前記電極接続部相当部の長手方向の一端部に連なりかつ該電極接続部相当部の長手方向と交差する方向に延びた底壁相当部と、
前記底壁相当部の幅方向の両側から該底壁相当部の長手方向と直交する方向に延びかつ前記電線の導体部を貫通するピアシング爪に相当するピアシング爪相当部と、を有しているとともに、
一括で型抜きされる前記複数のバスバ相当板が、前記電極接続部相当部の幅方向に沿って並列に並べられている
ことを特徴とする請求項１に記載の照明装置。
【発明の詳細な説明】
【技術分野】
【０００１】
本発明は、車両用照明装置などの照明装置に関する。
【背景技術】
【０００２】
照明装置として、バルブを収容したハウジングと、このハウジングに組み付けられて前記バルブと電線とを接続するバスバと、を有した車両用照明装置が多く提案されている（例えば特許文献１を参照。）。
【０００３】
上記車両用照明装置の一例として、図９に示す一対のバスバ１００Ａ，１００Ｂを有したものがある。この車両用照明装置は、バルブの正極・負極からなる一対の電極が、それぞれのバスバ１００Ａ，１００Ｂの電極接続部１０１に接続されるとともに、前記バルブに電力を供給する電線が、電極接続部１０１に連設された電線接続部１０２に接続される。
【０００４】
上記電線接続部１０２は、電極接続部１０１の長手方向の一端部に連なるとともに前記長手方向に沿って延びた帯状の底壁１０３と、この底壁１０３の幅方向両端部からそれぞれ立設した一対の圧接刃１０４と、を有している。また、圧接刃１０４には、その先端から底壁１０３に向かって延びたスリット１０５が設けられている。このような構成の電線接続部１０２は、図１１及び図１２に示すように、圧接刃１０４が電線２００を突き破るとともにスリット１０５に芯線２０２が通されて該芯線２０２と接続する。また、このタイプの電線接続部１０２と接続される電線２００は、複数の芯線２０２が互いに間隔をあけて並設されるとともにこれらの芯線２０２が絶縁被覆２０１で覆われたフラットケーブルである。
【０００５】
上述したバスバ１００Ａ，１００Ｂは、図１０に示すように、一枚の導電性金属板からバスバ１００Ａに相当するバスバ相当板１００Ａ’と、バスバ１００Ｂに相当するバスバ相当板１００Ｂ’と、が一括で型抜きされ、これらが折り曲げられて形成される。また、バスバ相当板１００Ａ’とバスバ相当板１００Ｂ’とはブリッジ１１０により連結されており、図９に示すような成形品のバスバ１００Ａ，１００Ｂに形成された時点で切断される。このブリッジ１１０は、バスバ相当板１００Ａ’，１００Ｂ’の型抜き時や曲げ時に位置ずれなどを生じさせないために設けられている。
【０００６】
さらに、バスバ１００Ａの圧接刃１０４と、バスバ１００Ｂの圧接刃１０４とは、底壁１０３の長手方向に沿って互いにずらされている。これは、上述したフラットケーブル２００の並設された各芯線２０２に各圧接刃１０４を圧接させるためである。このため、一方のバスバ１００Ｂの底壁１０３は、他方のバスバ１００Ａの底壁１０３よりも長く形成されている。
【特許文献１】特開２００５−３２９８８３号公報
【発明の開示】
【発明が解決しようとする課題】
【０００７】
しかしながら、上述したバスバ１００Ａ，１００Ｂを有した車両用照明装置は、以下に示す問題があった。
【０００８】
即ち、上述したバスバ１００Ａ，１００Ｂは、電極接続部１０１の長手方向に沿って電線接続部１０２が連設されていることから、電極接続部１０１の長手方向に沿った寸法が大きくなり、そのために車輌照明装置全体が大型化してしまうという問題があった。
【０００９】
また、近年のフラットケーブル２００は軽量化や省スペース化のために芯線２０２のピッチが狭ピッチ化している。しかし、上述した方法により形成されるバスバ１００Ａ，１００Ｂでは、バスバ相当板１００Ａ’，１００Ｂ’の隣り合う圧接刃相当部１０４’（図１０を参照。）同士が重ならないように、これら圧接刃相当部１０４’同士を底壁相当部１０３’の長手方向に沿ってずらさねばならないので、バスバ１００Ａのスリット１０５からバスバ１００Ｂのスリット１０５までのピッチＰが、狭ピッチ化したフラットケーブル２００の芯線２０２のピッチに追従できないという問題があった。
【００１０】
そこで、このようなバスバ１００Ａ，１００Ｂを上記狭ピッチ化したフラットケーブル２００に接続させる際には、図１１に示すように芯線２０２が３本のフラットケーブル２００を用いて外側の２本に圧接刃１０４を圧接させるようにするか、図１２に示すように芯線２０２が２本のフラットケーブル２００の絶縁被覆２０１に切り込みを入れて２本の芯線２０２のピッチを広げる必要があった。
【００１１】
また、バスバ１００Ａのスリット１０５からバスバ１００Ｂのスリット１０５までのピッチＰを狭く形成する方法として、バスバ相当板１００Ａ’，１００Ｂ’同士をその幅方向に沿って遠ざけることが考えられるが、このようにした場合、導電性金属板の材料歩留りが低くなり、バスバ１００Ａ，１００Ｂのコストが高くなってしまうという問題があった。
【００１２】
従って、本発明は、ハウジングに収容されたバルブとフラットケーブル等の電線とを接続するバスバをコストアップを抑えて形成できるとともに小型化を図ることが可能な照明装置を提供することを目的とする。
【課題を解決するための手段】
【００１３】
上述した目的を達成するために、請求項１に記載された発明は、バルブを収容したハウジングと、該ハウジングに組み付けられて前記バルブと電線とを接続する複数のバスバと、を有する照明装置であって、前記バスバは、前記ハウジング内に配されるとともに前記バルブの電極と接続する電極接続部と、前記電極接続部に連なりかつ前記電線と接続する電線接続部と、を有しているとともに、前記電線接続部が、前記電極接続部との連結箇所で折り曲げられて前記電極接続部の長手方向と直交する方向に延びているとともに前記ハウジングの外側面に沿って配されていることを特徴とする照明装置である。
【００１４】
請求項２に記載された発明は、請求項１に記載された発明において、前記複数のバスバは、一枚の導電性金属板から一括で型抜きされた互いに同一形状の各バスバ相当板がそれぞれ折り曲げられて形成されているとともに、前記バスバ相当板が、前記電極接続部に相当する電極接続部相当部と、前記電線接続部に相当する電線接続部相当部と、を有しているとともに、前記電線接続部相当部が、前記電極接続部相当部の長手方向の一端部に連なりかつ該電極接続部相当部の長手方向と交差する方向に延びた底壁相当部と、前記底壁相当部の幅方向の両側から該底壁相当部の長手方向と直交する方向に延びかつ前記電線を圧接する圧接刃に相当する圧接刃相当部と、を有しているとともに、一括で型抜きされる前記複数のバスバ相当板が、前記電極接続部相当部の幅方向に沿って並列に並べられていることを特徴とするものである。
【００１５】
請求項３に記載された発明は、請求項１に記載された発明において、前記電線が、並列に並べられた断面長方形の複数の導体部と該導体部を覆う絶縁被覆とを有したフラットケーブルであるとともに、前記複数のバスバは、一枚の導電性金属板から一括で型抜きされた互いに同一形状の各バスバ相当板がそれぞれ折り曲げられて形成されているとともに、前記バスバ相当板が、前記電極接続部に相当する電極接続部相当部と、前記電線接続部に相当する電線接続部相当部と、を有しているとともに、前記電線接続部相当部が、前記電極接続部相当部の長手方向の一端部に連なりかつ該電極接続部相当部の長手方向と交差する方向に延びた底壁相当部と、前記底壁相当部の幅方向の両側から該底壁相当部の長手方向と直交する方向に延びかつ前記電線の導体部を貫通するピアシング爪に相当するピアシング爪相当部と、を有しているとともに、一括で型抜きされる前記複数のバスバ相当板が、前記電極接続部相当部の幅方向に沿って並列に並べられていることを特徴とするものである。
【発明の効果】
【００１６】
請求項１に記載された発明によれば、バスバは、電線接続部が電極接続部との連結箇所で折り曲げられて電極接続部の長手方向と直交する方向に延びているとともにハウジングの外側面に沿って配されていることから、このバスバの電極接続部の長手方向に沿った寸法を小さくすることができるとともに、従来デッドスペースとなっていたハウジングの外側面を利用することによりこのハウジングを従来よりも小型化することができる。よって、小型化を図ることが可能な照明装置を提供することができる。
【００１７】
請求項２に記載された発明によれば、底壁相当部が電極接続部相当部の長手方向と交差する方向に延びていることから、成形品の複数のバスバを電極接続部の幅方向に沿って並べた際に、各バスバの圧接刃同士が、底壁相当部の長手方向に沿って互いにずれた配置となる。よって、互いに同一形状のバスバを用いて芯線が並列に並べられたフラットケーブルに接続させることが可能となる。また、バスバ同士を近づけて並べることにより、芯線が狭ピッチ化したフラットケーブルに接続させることができる。また、このように互いに同一形状のバスバを用いることができるので、バスバ及びハウジングを従来よりも小型化・低コスト化することができる。さらに、底壁相当部が電極接続部相当部の長手方向と交差する方向に延びていることから、互いに隣り合うバスバ相当板の圧接刃相当部同士が重なることがないので、この圧接刃相当部の面積を大きく取ることができ、圧接刃の接圧を損なうことなく無駄のない型抜きが可能になり、バスバの材料歩留りを向上させることができる。よって、小型化を図ることが可能な照明装置を低コストで提供することができる。
【００１８】
請求項３に記載された発明によれば、底壁相当部が電極接続部相当部の長手方向と交差する方向に延びていることから、成形品の複数のバスバを電極接続部の幅方向に沿って並べた際に、各バスバのピアシング爪同士が、底壁相当部の長手方向に沿って互いにずれた配置となる。よって、互いに同一形状のバスバを用いて導体部が並列に並べられたフラットケーブルに接続させることが可能となる。また、バスバ同士を近づけて並べることにより、導体部が狭ピッチ化したフラットケーブルに接続させることができる。また、このように互いに同一形状のバスバを用いることができるので、バスバ及びハウジングを従来よりも小型化・低コスト化することができる。さらに、底壁相当部が電極接続部相当部の長手方向と交差する方向に延びていることから、互いに隣り合うバスバ相当板のピアシング爪相当部同士が重なることがないので、このピアシング爪相当部の面積を大きく取ることができるとともに、無駄のない型抜きが可能になり、バスバの材料歩留りを向上させることができる。よって、小型化を図ることが可能な照明装置を低コストで提供することができる。
【発明を実施するための最良の形態】
【００１９】
以下、本発明の第１の実施形態にかかる照明装置を図１ないし図６を参照して説明する。本実施形態の照明装置１は、自動車の乗員室内を照明するための車両用照明装置１であり、自動車の乗員室の内側に取り付けられるルーフトリム（自動車の天井を構成する合成樹脂で構成される部品、内張り用の部品）に取り付けられる。
【００２０】
図１ないし図３などに示す上記車両用照明装置１は、前記乗員室を照明するバルブ５０（図４を参照。）と、このバルブ５０を収容するハウジング２と、このハウジング２に組み付けられる一対のバスバ３と、図示しないスイッチなどを有している。なお、図１は、バルブ５０がハウジング２に装着されていない状態を示している。バルブ５０は、図１中の手前に位置するハウジング２の長手方向（図１中に矢印Ｎで示す。）の一端部２ａ側に装着される。
【００２１】
上記バルブ５０は、光を照射する発光部と、正極・負極からなる一対の電極５１と、を有した周知の構成のウェッジバルブ（図４を参照。）である。また、本発明では、ウェッジバルブの代わりにＬＥＤウェッジバルブを用いることもできる。
【００２２】
上記ハウジング２は、絶縁性の合成樹脂で構成されており、外形が略矩形に形成されている。また、ハウジング２には複数の間隙が設けられており、上述したバルブ５０や後述するバスバ３などが組み付けられる。
【００２３】
上記一対のバスバ３は、互いに同一形状をなしているとともに、導電性金属板に打ち抜き加工を施して得られた図５に示すバスバ相当板３’に曲げ加工を施すことにより形成されている。バスバ３は、図４などに示すように、上記バルブ５０の電極５１と接続する電極接続部４と、電線としてのフラットケーブル２０（図６を参照。）と接続する電線接続部５と、ハウジング取付部６と、を有している。また、バスバ相当板３’は、電極接続部４に相当する電極接続部相当部４’と、電線接続部５に相当する電線接続部相当部５’と、ハウジング取付部６に相当するハウジング取付部相当部６’と、を有している。
【００２４】
上記電極接続部４は、上記バスバ相当板３’の電極接続部相当部４’が曲げられて形成されている。電極接続部４は、互いに間隔をあけて相対した一対の帯状の電極挟持片４１と、これら一対の電極挟持片４１の長手方向一端部同士に連なった連結部４０と、を有している。また、一対の電極挟持片４１は、互いに近づく方向に凸に湾曲されており、これらの間に上記バルブ５０が挿入される（図４を参照。）とともに、該電極挟持片４１と正極・負極のうち一方の電極５１とが電気的に接続される。また、図５に示す４１’は、電極挟持片４１に相当する電極挟持片相当部であり、４０’は、連結部４０に相当する連結部相当部である。
【００２５】
上記電線接続部５は、上記バスバ相当板３’の電線接続部相当部５’が曲げられて形成されている。この電線接続部相当部５’は、上記電極接続部相当部４’の連結部相当部４０’に連なり、即ち電極接続部相当部４’の長手方向（図５中に矢印Ｎで示す。）の一端部に連なり、かつ該電極接続部相当部４’の長手方向と交差する方向に延びた底壁相当部７’と、底壁相当部７’の幅方向の両側から該底壁相当部７’の長手方向（図５中に矢印Ｎ２で示す。）と直交する方向（図５中に矢印Ｈで示す。）に延びた一対の圧接刃相当部８’と、を有している。
【００２６】
そして、連結部相当部４０’と底壁相当部７’との連結箇所（図５中にＲで示す。）が直角に曲げられるとともに、底壁相当部７’と圧接刃相当部８’との連結箇所が直角に曲げられることにより、電線接続部相当部５’は、図４に示す底壁７と一対の圧接刃８とを有した電線接続部５となる。このように形成された電線接続部５は、図４に示すように、底壁７が電極接続部４の長手方向（図４中に矢印Ｎで示す。）と直交する方向に延びている。即ち、電線接続部５は、電極接続部４の長手方向と直交する方向に延びている。また、一対の圧接刃８が互いに相対するとともに電極接続部４から離れる方向に向かって底壁７から立設している。
【００２７】
また、上記一対の圧接刃８には、該圧接刃８の先端から底壁７に向かって形成されたスリット９が設けられている。このような圧接刃８は、図６に示すように、フラットケーブル２０を突き破るとともにスリット９にフラットケーブル２０の芯線２２を通して該芯線２２と電気的に接続する。また、前記フラットケーブル２０は、断面丸型の複数の芯線２２と、これら芯線２２を覆う絶縁被覆２１とを有しているとともに、複数の芯線２２が互いに間隔をあけて平行に配されたものである。
【００２８】
上記ハウジング取付部６は、上記バスバ相当板３’の底壁相当部７’に連設されたハウジング取付部相当部６’が、底壁相当部７’との連結箇所において曲げられて形成されている。
【００２９】
このような一対のバスバ３は、図１ないし図３に示すように、互いに底壁７の幅方向に沿って並ぶ格好で上記ハウジング２に組み付けられる。この際、電極接続部４がハウジング２内に配されるとともに、電線接続部５が、ハウジング２の長手方向の他端部２ｂ側の外側面に沿って配される。そして、図２に示すように、ハウジング取付部６がハウジング２内に圧入されることにより、バスバ３がハウジング２に固定される。また、電極接続部４の一対の電極挟持片４１は、ハウジング２の長手方向の一端部２ａ側に配されている。
【００３０】
そして、上記一対のバスバ３がハウジング２に組み付けられた後、上述したようにバルブ５０がそれぞれのバスバ３の一対の電極挟持片４１間に挿入され、フラットケーブル２０がそれぞれのバスバ３の電線接続部５の一対の圧接刃８に圧接される。こうしてバスバ３は、バルブ５０とフラットケーブル２０とを電気的に接続する。さらに、これら一対のバスバ３に電気接続された図示しないスイッチがオン・オフされることにより、バルブ５０が点灯または消灯する。
【００３１】
さらに、上述したバスバ相当板３’は、図５に示すように他のバスバ相当板３’と電極接続部相当部４’の幅方向に沿って並列に並べられた格好で一括で片抜きされる。また、これら複数のバスバ相当板３’（図示例では２つ）は、ブリッジ１１により互いに連結されている。このブリッジ１１は、それぞれのバスバ相当板３’が曲げられるなどして成形品であるバスバ３に形成された時点で切断される。
【００３２】
本実施形態によれば、バスバ３は、電線接続部５が電極接続部４との連結箇所Ｒで折り曲げられて電極接続部４の長手方向と直交する方向に延びているとともにハウジング２の外側面に沿って配されていることから、バスバ３の電極接続部４の長手方向に沿った寸法を小さくすることができるとともに、従来デッドスペースとなっていたハウジング２の外側面を利用することによりこのハウジング２を従来よりも小型化することができる。よって、小型化を図ることが可能な照明装置１を提供することができる。
【００３３】
また、底壁相当部７’が電極接続部相当部４’の長手方向と交差する方向に延びていることから、成形品の一対のバスバ３を電極接続部４の幅方向に沿って並べた際に、各バスバ３の圧接刃８同士が、底壁７の長手方向に沿って互いにずれた配置となる。よって、互いに同一形状のバスバ３を用いて芯線２２が並列に並べられたフラットケーブル２０に接続させることが可能となる。
【００３４】
また、バスバ３同士を近づけて並べることにより、芯線２２が狭ピッチ化した２芯のフラットケーブル２０に接続させることができる。また、このように互いに同一形状のバスバ３を用いることができるので、バスバ３自体を小型化できるとともに電線接続部５とフラットケーブル２０との接続スペースを省スペース化することができる。また、同一形状のバスバ３を用いることができるので、量産効果により、バスバ３を低コスト化することができる。
【００３５】
さらに、底壁相当部７’が電極接続部相当部４’の長手方向と交差する方向に延びていることから、互いに隣り合うバスバ相当板３’の圧接刃相当部８’同士が重なることがないので、この圧接刃相当部８’の面積を大きく取ることができ、圧接刃８の接圧を損なうことなく無駄のない型抜きが可能になり、バスバ３の材料歩留りを向上させることができる。
【００３６】
次に、本発明の第２の実施形態にかかる照明装置を図７及び図８を参照して説明する。また、同図において、前述した第１の実施形態と同一構成部分には同一符号を付して説明を省略する。
【００３７】
本実施形態では、バスバ１３が、図７に示すように、上述した電極接続部４と、この電極接続部４に連なった電線接続部１５と、上述したハウジング取付部６と、を有している。
【００３８】
上記電線接続部１５は、連結部４０に連なった底壁７と、この底壁７の幅方向両端部から曲げ起こされた一対のピアシング爪１８と、を有している。このピアシング爪１８は、図８に示すように、電線としてのフラットケーブル３０を突き破るとともにフラットケーブル３０の導体部３２を貫通して該導体部３２と電気的に接続する。また、フラットケーブル３０を突き破ったピアシング爪１８の先端は底壁７側に曲げられる。即ちかしめられる。また、前記フラットケーブル３０は、断面長方形の複数の導体部３２と、これら導体部３２を覆う絶縁被覆３１とを有しているとともに、複数の導体部３２が互いに間隔をあけて平行に配されたものである。
【００３９】
このように本発明では、電線接続部が、圧接刃８を有した構成であっても良く、ピアシング爪１８を有した構成であっても良い。
【００４０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の第１の実施形態における照明装置を示す斜視図である。
【図２】図１に示された照明装置の正面図である。
【図３】図１に示された照明装置の図２と異なる角度から見た正面図であり、照明装置の長手方向端部を示す図である。
【図４】図１に示された照明装置のバスバを示す斜視図である。
【図５】図４に示されたバスバを構成するバスバ相当板を示す平面図である。
【図６】図３に示された照明装置に電線が接続された状態を示す正面図である。
【図７】本発明の第２の実施形態における照明装置のバスバを示す斜視図である。
【図８】図７に示されたバスバに電線が接続された状態を示す斜視図である。
【図９】従来の照明装置を構成する一対のバスバを示す斜視図である。
【図１０】図９に示された一対のバスバを構成するバスバ相当板を示す斜視図である。
【図１１】図９に示された一対のバスバの電線への接続方法を説明する説明図である。
【図１２】図９に示された一対のバスバの電線への他の接続方法を説明する説明図である。
【符号の説明】
【００４２】
１  車両用照明装置（照明装置）
２  ハウジング
３，１３  バスバ
３’  バスバ相当板
４  電極接続部
４’  電極接続部相当部
５，１５  電線接続部
５’  電線接続部相当部
７’  底壁相当部
８  圧接刃
８’  圧接刃相当部
１８  ピアシング爪
２０，３０  フラットケーブル（電線）
３１  絶縁被覆
３２  導体部
５０  バルブ
５１  電極
Ｒ  連結箇所
【図１】
2008146846.tif 000003
【図２】
2008146846.tif 000004
【図３】
2008146846.tif 000005
【図４】
2008146846.tif 000006
【図５】
2008146846.tif 000007
【図６】
2008146846.tif 000008
【図７】
2008146846.tif 000009
【図８】
2008146846.tif 000010
【図９】
2008146846.tif 000011
【図１０】
2008146846.tif 000012
【図１１】
2008146846.tif 000013
【図１２】
2008146846.tif 000014